(57)【要約】      （修正有）【課題】書物を無理に開かせることなく、安定に支えることができ、かつ、使用者に最適の角度に容易に設定可能な書見台を提供する。【解決手段】中央部１２が左右両側１３、１４よりも後退している背板部１５を有し、かつ、その書物の下部を支えるために必要な左右の長さを持つ、載置部１６を有する書物支持体１１と、書物支持体の傾斜角度を調整可能にするために、書物支持体を左右両側部にて回転可能に支持した基台２０とを具備し、軸支部よりも後方に生じる書物支持体の下部と基台側の台板との間の隙間に楔部材２５を挿入し、楔部材２５を前後に移動させることにより書物支持体を任意の傾斜角度に調整する。上記書物支持体の載置部の上面には、磁性材料よりなる吸着部２６を設置し、これに磁石を有するページ押さえ２７を磁気吸着により固定可能とすることができる。【選択図】図１
0003127842.tif 000002
【実用新案登録請求の範囲】
【請求項１】
書物を開いた状態に固定する機能を有する書見台であって、
開いた書物の背と表紙を支えるために、中央部が左右両側よりも後退している背板部を有し、かつ、その書物の下部を支えるために必要な左右の長さを持つ載置部を有する書物支持体と、書物支持体の傾斜角度を調整可能にするために、書物支持体を左右両側部にて回転可能に支持した基台とを具備し、
軸支部よりも後方に生じる書物支持体の下部と基台側の台板との間の隙間に楔部材を挿入し、楔部材を前後に移動させることにより書物支持体を任意の傾斜角度に調整する
書見台。
【請求項２】
書物を開いた状態に固定する機能を有する書見台であって、
開いた書物の背と表紙を支えるために、中央部が左右両側よりも後退している背板部を有し、かつ、その書物の下部を支えるために必要な左右の長さを持つ載置部を有する書物支持体と、書物支持体の傾斜角度を調整可能にするために、書物支持体を左右両側部にて回転可能に支持した基台とを具備し、
書物支持体の載置部の上面に磁性材料よりなる吸着部を設置し、これに磁石を有するページ押さえを磁気吸着により固定可能とした構成を有する
書見台。
【請求項３】
書物を開いた状態に固定する機能を有する書見台であって、
開いた書物の背と表紙を支えるために、中央部が左右両側よりも後退している背板部を有し、かつ、その書物の下部を支えるために必要な左右の長さを持つ載置部を有する書物支持体と、書物支持体の傾斜角度を調整可能にするために、書物支持体を左右両側部にて回転可能に支持した基台とを具備し、
軸支部よりも後方に生じる書物支持体の下部と基台側の台板との間の隙間に楔部材を挿入し、楔部材を前後に移動させることにより書物支持体を任意の傾斜角度に調整するとともに、書物支持体の載置部の上面に磁性材料よりなる吸着部を設置し、これに磁石を有するページ押さえを磁気吸着により固定可能とした構成を有する
書見台。
【請求項４】
ページ押さえは、少なくともその表面が摩擦抵抗を有する天然又は合成樹脂より成る請求項２又は３記載の書見台。
【考案の詳細な説明】
【技術分野】
【０００１】
本考案は、書物を開いた状態に固定する機能を有する書見台に関するものである。
【背景技術】
【０００２】
書物を開いた状態にて支える書見台は、読書をする者が本を支え続ける負担を取り除くものであり、様々な種類のものが市販され、また、提案されている。しかし、多くの書見台には一長一短があり、決定的と万人が認める構成を具えたものは、未だ見出されていないといって良い。
【０００３】
例えば、特表２００４−５０８１５４号は、人間工学的な書見台という発明であるが、書物を立てかける左右の支えは同一平面にあり、それに対してヨークが書物の開いたページを押さえる構造である。従って、書物を１８０度まで開いた状態にして固定することになるので、書物を損傷する恐れがある。また、ページを繰るたびに、ヨークを前後に抜き差しする必要があり、傾斜の調整には頭ネジを備える軸を操作する必要もあって、読書への集中の邪魔になることも考えられる。
【０００４】
特開２００３−７０５５３号は、ワンタッチで任意の傾斜角度に設置できるとともにその変更も容易にできる発明ということである。しかしながら、そのための手段になっているのは、書物を載せる背板とスタンドの下部に、滑り止め材を設けるというものであるから、不意にスタンドが開いて倒れる恐れがある。
【０００５】
【特許文献１】特表２００４−５０８１５４号
【特許文献２】特開２００３−７０５５３号
【考案の開示】
【考案が解決しようとする課題】
【０００６】
本考案は前記の点に着目してなされたものであり、その課題は、書物を無理に開かせることなく、安定に支えることができ、かつ、使用者に最適の角度に容易に設定可能な書見台を提供することである。また、本考案の他の課題は、適正に開いた書物のページを無理なく押さえられ、かつ、ページを繰る操作を容易に行える書見台を提供することである。
【課題を解決するための手段】
【０００７】
前記の課題を解決するため、本考案は、書物を開いた状態に固定する機能を有する書見台について、開いた書物の背と表紙を支えるために、中央部が左右両側よりも後退している背板部を有し、かつ、その書物の下部を支えるために必要な左右の長さを持つ載置部を有する書物支持体と、書物支持体の傾斜角度を調整可能にするために、書物支持体を左右両側部にて回転可能に支持した基台とを具備し、軸支部よりも後方に生じる書物支持体の下部と基台側の台板との間の隙間に楔部材を挿入し、楔部材を前後に移動させることにより書物支持体を任意の傾斜角度に調整するという手段を講じたものである。請求項１記載の考案。
【０００８】
軸支部は書物支持体を左右両側部にて回転可能に基台支持する手段である。この構成により、軸支部よりも後方に生じる書物支持体の下部と基台側の台板との隙間に、楔部材を挿入し、前後に移動させるだけの極めて容易な操作で、傾斜角度の調整が可能になる。
【０００９】
また、本考案は、書物を開いた状態に固定する機能を有する書見台として、開いた書物の背と表紙を支えるために、中央部が左右両側よりも後退している背板部を有し、かつ、その書物の下部を支えるために必要な左右の長さを持つ載置部を有する書物支持体と、書物支持体の傾斜角度を調整可能にするために、書物支持体を左右両側部にて回転可能に支持した基台とを具備し、書物支持体の載置部の上面に磁性材料よりなる吸着部を設置し、これに磁石を有するページ押さえを磁気吸着により固定可能とした構成を有するという手段を講じたものである。請求項２記載の考案。
【００１０】
このページ押さえにより書籍を確実に固定でき、また、磁気吸着しているページ押さえをずらすことで、非常に容易にページを繰ることが可能になり、ページ押さえの扱いが極容易であることから、書見台の使用を負担に感じなくて済む。ページ押さえは、少なくともその表面が摩擦抵抗を有する天然又は合成樹脂より成るものとすることができ（請求項４記載の考案）、これによりページを押える効果が高められるので、読書のリズムを妨げない。
【００１１】
さらに、本考案は、書物を開いた状態に固定する機能を有する書見台について、開いた書物の背と表紙を支えるために、中央部が左右両側よりも後退している背板部を有し、かつ、その書物の下部を支えるために必要な左右の長さを持つ載置部を有する書物支持体
と、書物支持体の傾斜角度を調整可能にするために、書物支持体を左右両側部にて回転可能に支持した基台とを具備し、軸支部よりも後方に生じる書物支持体の下部と基台側の台板との間の隙間に楔部材を挿入し、楔部材を前後に移動させることにより書物支持体を任意の傾斜角度に調整するとともに、書物支持体の載置部の上面に磁性材料よりなる吸着部を設置し、これに磁石を有するページ押さえを磁気吸着により固定可能とした構成を有するという手段を講じたものである。請求項３記載の考案。
【００１２】
これにより楔部材を挿入し、その位置を前後に移動させるだけの操作で、傾斜角度の調整が極めて容易に行なえるとともに、書物の確実な固定と、非常に容易なページめくりが可能になる。
【００１３】
本考案の書見台において、書物支持体は、開いた書物の背と表紙を支えるために、中央部が左右両側よりも後退している背板部を有する。中央部が左右両側よりも後退している背板部を有するということは、書物を無理に開かずに済むということである。また、開いた書物の背が配置される箇所が凹んでいることにより、書物を安定させることとなる。そして、書物支持体は、書物の下部を支えるために必要な左右の長さを持つ載置部を有するので、書物を１、２箇所ではなく全幅に亘って支えることになり、大部な書物でも荷重が分散され、傷める恐れが殆どない。
【００１４】
本考案の書見台においては、背板部と載置部を有する書物支持体の全体が、十分な厚さを有する、板材を使用して形成されていることが望まれる。板材により、堅固な書見台を形成することができ、書物を支えている間の安定性が高められるからである。特に、書見台は、ある程度以上の重さのある書物を読むときに、より恩恵を感じるものであるから、堅牢であり過ぎることの問題は少ない。
【００１５】
なお、書物支持体は、左右両側部の軸支部にて回転可能に基台に支持される。書物支持体の左右両側部は、中央部が後退している背板部の左右両側の部分であるから、軸支部は後退している背板部よりも相対的に前進した位置にある。つまり、回転可能な軸止部が前方にあり、背板部は後方にあるので、書物支持体は常に後部が下方へ回転する方向に傾斜する構成である。従って、書物支持体の下部と基台側の台板との間の隙間に挿入する楔部材を前後させるだけで傾斜角度の調整が可能になる。
【考案の効果】
【００１６】
本考案は以上のように構成されかつ作用するものであるから、書物支持体の、中央部が左右両側よりも後退した背板部を有しているにより、書物を無理なく開いた状態にし、かつ、載置部で下部を支えられるため、非常に安定性が良く、かつ、書物支持体の下部と基台側の台板との間の隙間に挿入した楔部材を前後させるだけで、使用者に最適の角度に容易に設定可能な書見台を提供することができる。また、本考案によれば、載置部の上面に磁性材料よりなる吸着部を設置し、これにページ押さえを磁気吸着により固定可能としたので、適正に開いた書物のページを無理なく、しかも確実に押さえられ、かつ、ページを繰る操作を容易に行えるという効果を奏する。
【考案を実施するための最良の形態】
【００１７】
以下図示の実施形態を参照しながら本考案をより詳細に説明する。図１は、本考案に係る書見台１０の一例を示す全体図である。例示の書見台１０は、開いた書物の背と表紙を支えるために、書物支持体１１を有しており、書物支持体１１は、中央部１２が、左右両側１３、１４よりも後退している背板部１５と、後述する載置部１６とからなる。背板部１５の左右両側１３、１４は、中央部１２からほぼＶ字状に開いており、書物を十分に、しかも傷めない程度に開くことができるように形成されている。また、図示の例における中央部１２は、正面の側でやや凹んでおり(図２)、ハードカバー本の背などとも係合し得るようになっている。
【００１８】
背板部１５は、図示の例では、書物の下部を支えるために必要な左右の長さを持つ板状の載置部１６の上面に、ほぼ直角乃至やや後ろへ傾き気味に、かつそれと一体に設けられている。この載置部１６と上記の背板部１５は、ともに厚板材を使用して、ハードカバー本も支えられる大きさ及び強度に形成されており、書物を支える書物支持体１１を構成している。
【００１９】
書物支持体の１１の傾斜角度を調整可能にするために、書物支持体１１の左右両側部にて回転可能に支持した基台２０を具備している。書物支持体１１の回転可能な支持のために、書物支持体１１の左右両側部に相当する載置部１６の左右両端と、基台２０の左右両端部に、軸支部が設けられている。
【００２０】
軸支部は、載置部１６の左右両端部に設けられた軸孔１７ａ、１７ｂを有する軸受け部１８ａ、１８ｂと、基台２０の左右両端部に夫々設けられた支軸１９ａ、１９ｂから成る(図２、図３参照)。基台２０は、軸受け部１８ａ、１８ｂを回転可能に受け入れる間隔及び高さに設けた左右支台部２１ａ、２１ｂを有しており、両支台部２１ａ、２１ｂに、内側に向けて、支軸１９ａ、１９ｂが取り付けられているものである。
【００２１】
支軸１９ａ、１９ｂは、軸受け部１８ａ、１８ｂの厚さよりも長く、軸受け部１８ａ、１８ｂに設けられた長孔１７ａ、１７ｂを見ながら差し込める。長孔１７ａ、１７ｂの奥には軸受孔１７ｃ、１７ｄが設けられている。このような軸受孔１７ｃ、１７ｄは、書物支持体１１の傾斜時に、支軸１９ａ、１９ｂと係止して安定な状態にする。また、長孔１７ａ、１７ｂを有している構成であるから、長孔１７ａ、１７ｂを見ながら支軸１９ａ、１９ｂをめねじ部２２ａ、２２ｂにねじ入れることができる。支軸１９ａ、１９ｂの頭部１９ｃ、１９ｄはマイナス溝を有し、コイン類によってねじ入れまたねじ戻すことができる。なお、頭部１９ｃ、１９ｄのマイナス溝はプラス溝でも良いし、また、六角レンチ用の凹み等でも良い。
【００２２】
書物支持体１１を任意の傾斜角度に調整するために、軸支部よりも後方に生じる書物支持体１１と基台側の台板２３との間の隙間２４に楔部材２５を挿入するものとする。楔部材２５を支持する位置は、書物支持体１１の中央部１２の下部１１ｂが良い。楔部材２５を挿入し抜き差しにより前後させるので、傾斜角度を大小変化させることが容易である。楔部材２５は書見台１０の前からも後からも操作できる。
【００２３】
さらに本考案のものは、書物支持体１１の載置部１６の上面に磁性材料よりなる吸着部２６を設置し、これにページ押さえ２７を磁気吸着により固定可能とした構成を有する。吸着部２６は鉄板などの磁性材料より成り、左右に細長く、望ましくは背板部１５の左右両側１３、１４の傾斜に適合させた屈曲形状を有するものとする。
【００２４】
ページ押さえ２７は、少なくともその表面が摩擦抵抗を有する天然又は合成樹脂より成る、ブロックの形態を有する。図７参照。また図示の例では、書物のページを押さえるのに必要な高さを有する円筒形のページ押さえ２７とし、好適に使用できるように図っている。ページ押さえ２７は、吸着部２６に磁気吸着する下部において、磁石２８とともに磁気回路を形成する磁気ヨーク２９を有する。
【００２５】
図示の例の場合、楔部材２５は、基台側の台板上から支軸１９までの距離にほぼ等しい高さを有しており、かつ、その上部に片方へのみ傾斜面２５ａを設けた楔構造に形成されている。楔部材２５による書物支持体１１の傾斜範囲は、特に限定しないが広い方が良くそのために大きく傾斜させても倒れないように重量などのバランスに注意して設計を行なう。また、基台２０には抽斗３０を設けており、厚板の木材を用いて高品質の家具としても用いられるように製作されている。
【００２６】
このように構成された本考案に係る書見台は、書物支持体１１を、図４に示すほぼ垂直の状態から後方へ傾斜させ、図６に実線で示したように任意の角度にして、楔部材２５を書物支持体１１の後下隅１１ｂ（中央部１２の下部）にあてがうことにより支えるものとする。楔部材２５が後方位置では書物支持体１１の傾斜は大きくなり、楔部材２５が前方位置では書物支持体１１の傾斜は小さくなる。楔部材２５は、傾斜面２５ａでも、上部平面２５ｂでも書物支持体１１を支えることができる。
【００２７】
書物支持体１１を所望の角度に設定したなら、書物Ｌを書物支持体１１に載せ、ページ押さえ２７により固定する。その際、書物Ｌの背部分を中央部１２に配置してずれ止めとし、ページ押さえ２７は図２に鎖線で示したように、左右両側１３、１４の板面に近付けておくと、安定性が最も高められる。ページ押さえ２７は円筒型で、ゴム製のため、ページが滑らず、また、摩擦があるので例えばページをめくるときにも使用可能である。
【図面の簡単な説明】
【００２８】
【図１】本考案に係る書見台の１例を示す斜視図。
【図２】同上の上面図。
【図３】同じく正面図。
【図４】同じく中央部縦断面図。
【図５】書物支持体を基台に取り付ける状態を示す説明図。
【図６】書物支持体を基台上にて傾斜させる状態を示す説明図。
【図７】ページ押さえの作用を説明するための断面図。
【図８】軸受け部を示す断面図。
【符号の説明】
【００２９】
１０  書見台
１１  書物支持体
１２  中央部
１３、１４  左右両側
１５  背板部
１６  載置部
１７ａ、１７ｂ  長孔
１８ａ、１８ｂ  軸受け部
１９ａ、１９ｂ  支軸
１９ｃ、１９ｄ  頭部
２０  基台
２１ａ、２１ｂ  左右支台部
２２ａ、２２ｂ  めねじ部
２３  台板
２４  隙間
２５  楔部材
２６  吸着部
２７  ページ押さえ
２８  磁石
２９  磁気ヨーク
３０  抽斗
【図１】
0003127842.tif 000003
【図２】
0003127842.tif 000004
【図３】
0003127842.tif 000005
【図４】
0003127842.tif 000006
【図５】
0003127842.tif 000007
【図６】
0003127842.tif 000008
【図７】
0003127842.tif 000009
【図８】
0003127842.tif 000010